(57)【要約】【課題】証券取引等において取引時間等の把握を容易にする。【解決手段】取引時間表示装置１０は、入力部２３により時間帯名称が選択された場合、該時間帯名称に対応する取引時間帯を記憶部２１から読み込み、その取引時間帯における時刻計測部２２が計測する時刻までの経過時間と残存時間とを算出し、経過時間と残存時間とが色分けされた円グラフを表示する。【選択図】      図１
2009043159.tif 000002
【特許請求の範囲】
【請求項１】
コンピュータを、
複数の取引時間帯と複数の時間帯名称とを予め関連付けて記憶する記憶手段、
時刻を計測する時刻計測手段、
前記複数の時間帯名称のうち、一の時間帯名称を選択する選択手段、
前記選択手段により時間帯名称が選択された場合、該時間帯名称に対応する取引時間帯を前記記憶手段から読み込み、該取引時間帯における前記時刻計測手段が計測する時刻までの経過時間と残存時間とを算出する手段、
前記取引時間帯を１回りとし、前記経過時間と前記残存時間とが色分けされた円グラフを表示する表示手段、
として機能させる取引時間表示プログラム。
【請求項２】
請求項１に記載の取引時間表示プログラムにおいて、
前記記憶手段は、前場、後場、夕場の時間帯名称と、それぞれの取引時間帯とを関連付けて記憶する、
ことを特徴とする取引時間表示プログラム。
【請求項３】
請求項１または請求項２に記載の取引時間表示プログラムにおいて、
前記コンピュータを、
時刻とスケジュール情報とを関連付けて記憶するスケジュール情報記憶手段、
前記表示手段に表示されるグラフ内の一の領域を指定する指定手段、
前記グラフ内の一の領域が指定された場合、該指定された領域に対応する時刻におけるスケジュール情報を、前記スケジュール情報記憶手段に書き込むための書込手段、
前記スケジュール情報記憶手段に記憶される時刻が前記時刻計測手段により計測される時刻と一致した場合、警告信号を出力する手段、
前記警告信号が出力された場合、前記スケジュール情報を表示する手段、
としてさらに機能させる取引時間表示プログラム。
【請求項４】
請求項３に記載の取引時間表示プログラムにおいて、
前記スケジュール情報記憶手段は、外部の発注システムの発注画面のフォーマットに対応した発注情報をスケジュール情報として記憶する、
ことを特徴とする取引時間表示プログラム。
【請求項５】
請求項１乃至請求項４のいずれか１項に記載の取引時間表示プログラムにおいて、
前記コンピュータを、
前記取引時間帯毎に、受付開始時刻、寄り時刻、取引開始時刻、引け時刻、取引終了時刻を含む複数の設定時刻を記憶する設定時刻記憶手段、
前記時刻計測手段により計測される時刻と前記各設定時刻とが一致した場合、警告信号を出力する手段、
として機能させる取引時間表示プログラム。
【請求項６】
請求項３乃至請求項５のいずれか1項に記載の取引時間表示プログラムにおいて、
前記コンピュータを、
前記警告信号の出力に応じて、前記表示手段に表示される壁紙情報を変更する手段、
として機能させる取引時間表示プログラム。
【請求項７】
請求項３乃至請求項６のいずれか１項に記載の取引時間表示プログラムにおいて、
前記コンピュータを、
前記警告信号の出力に応じて、警告音を発生する手段、
として機能させる取引時間表示プログラム。
【請求項８】
複数の取引時間帯と複数の時間帯名称とを予め関連付けて記憶する記憶手段と、
時刻を計測する時刻計測手段と、
前記時間帯名称のうち、一の時間帯名称を選択する選択手段と、
前記選択手段により時間帯名称が選択された場合、該時間帯名称に対応する取引時間帯を前記記憶手段から読み込み、該取引時間帯における前記時刻計測手段が計測する時刻までの経過時間と残存時間とを算出する手段と、
前記取引時間帯を1回りとし、前記経過時間と前記残存時間とが色分けされた円グラフを表示する表示手段と、
を備えたことを特徴とする取引時間表示装置。
【発明の詳細な説明】
【技術分野】
【０００１】
本発明は、証券取引等において取引時間等の把握を容易にし得る取引時間表示プログラム及び装置に関する。
【背景技術】
【０００２】
近年、インターネットの普及に伴い、いわゆるオンライントレーディングが行なわれている。
【０００３】
このオンライントレーディングにおいては、株式の売買注文を取引所システムへ発注するタイミングを制御することが可能な売買注文自動発注装置などが利用されている（例えば特許文献１参照）。
【特許文献１】特開２００６−９９７８７号公報
【発明の開示】
【発明が解決しようとする課題】
【０００４】
しかしながら、上述した特許文献１に記載の技術では、コンボボックスにより発注時間を選択するので、取引時間の把握が一見して困難なものである。
【０００５】
この点、ディーラ・トレーダ等は、複数の取引情報を同時に把握して数多くの作業を素早く処理しなければならない。そのため、取引時間を迅速に把握する必要がある。
【０００６】
また、ディーラ・トレーダ等は、多くのモニタ・マシンを駆使して市況や最新ニュースを取得する。そのため、モニタ・マシンの画面上で、最新ニュース等の把握と取引予定とを迅速に把握する必要がある。
【０００７】
本発明は上記実情に鑑みてなされたものであり、証券取引等において取引時間等の把握を容易にし得る取引時間表示プログラム及び装置を提供することを目的とする。
【課題を解決するための手段】
【０００８】
本発明は上記課題を解決するために以下の手段を講じる。
【０００９】
請求項１に対応する発明は、コンピュータを、複数の取引時間帯と複数の時間帯名称とを予め関連付けて記憶する記憶手段、時刻を計測する時刻計測手段、前記複数の時間帯名称のうち、一の時間帯名称を選択する選択手段、前記選択手段により時間帯名称が選択された場合、該時間帯名称に対応する取引時間帯を前記記憶手段から読み込み、該取引時間帯における前記時刻計測手段が計測する時刻までの経過時間と残存時間とを算出する手段、前記取引時間帯を１回りとし、前記経過時間と前記残存時間とが色分けされた円グラフを表示する表示手段、として機能させる取引時間表示プログラムである。
【００１０】
請求項２に対応する発明は、請求項１に対応する取引時間表示プログラムにおいて、前記記憶手段は、前場、後場、夕場の時間帯名称と、それぞれの取引時間帯とを関連付けて記憶する、ことを特徴とする取引時間表示プログラムである。
【００１１】
請求項３に対応する発明は、請求項１または請求項２に対応する取引時間表示プログラムにおいて、前記コンピュータを、時刻とスケジュール情報とを関連付けて記憶するスケジュール情報記憶手段、前記表示手段に表示されるグラフ内の一の領域を指定する指定手段、前記グラフ内の一の領域が指定された場合、該指定された領域に対応する時刻におけるスケジュール情報を、前記スケジュール情報記憶手段に書き込むための書込手段、前記スケジュール情報記憶手段に記憶される時刻が前記時刻計測手段により計測される時刻と一致した場合、警告信号を出力する手段、前記警告信号が出力された場合、前記スケジュール情報を表示する手段、としてさらに機能させる取引時間表示プログラムである。
【００１２】
請求項４に対応する発明は、請求項３に対応する取引時間表示プログラムにおいて、前記スケジュール情報記憶手段は、外部の発注システムの発注画面のフォーマットに対応した発注情報をスケジュール情報として記憶する、ことを特徴とする取引時間表示プログラムである。
【００１３】
請求項５に対応する発明は、請求項１乃至請求項４のいずれか１項に対応する取引時間表示プログラムにおいて、前記コンピュータを、前記取引時間帯毎に、受付開始時刻、寄り時刻、取引開始時刻、引け時刻、取引終了時刻を含む複数の設定時刻を記憶する設定時刻記憶手段、前記時刻計測手段により計測される時刻と前記各設定時刻とが一致した場合、警告信号を出力する手段、として機能させる取引時間表示プログラムである。
【００１４】
請求項６に対応する発明は、請求項３乃至請求項５のいずれか1項に対応する取引時間表示プログラムにおいて、前記コンピュータを、前記警告信号の出力に応じて、前記表示手段に表示される壁紙情報を変更する手段、として機能させる取引時間表示プログラムである。
【００１５】
請求項７に対応する発明は、請求項３乃至請求項６のいずれか１項に対応する取引時間表示プログラムにおいて、前記コンピュータを、前記警告信号の出力に応じて、警告音を発生する手段、として機能させる取引時間表示プログラムである。
【００１６】
請求項８に対応する発明は、複数の取引時間帯と複数の時間帯名称とを予め関連付けて記憶する記憶手段と、時刻を計測する時刻計測手段と、前記時間帯名称のうち、一の時間帯名称を選択する選択手段と、前記選択手段により時間帯名称が選択された場合、該時間帯名称に対応する取引時間帯を前記記憶手段から読み込み、該取引時間帯における前記時刻計測手段が計測する時刻までの経過時間と残存時間とを算出する手段と、前記取引時間帯を１回りとし、前記経過時間と前記残存時間とが色分けされた円グラフを表示する表示手段と、を備えた取引時間表示装置である。
【００１７】
＜作用＞
従って、本発明は以上のような手段を講じたことにより、以下の作用を有する。
【００１８】
請求項１・８に対応する発明は、選択手段により時間帯名称が選択された場合、該時間帯名称に対応する取引時間帯を記憶手段から読み込み、その取引時間帯における時刻計測手段が計測する時刻までの経過時間と残存時間とを算出し、経過時間と残存時間とが色分けされた円グラフを表示するので、証券取引等において取引時間等の把握を容易にすることができる。
【００１９】
請求項２に対応する発明は、請求項１に対応する作用に加え、記憶手段が、前場、後場、夕場の時間帯名称と、それぞれの取引時間帯とを関連付けて記憶するので、取引時間全体における経過時間や残存時間などを迅速にユーザに把握させることができる。
【００２０】
請求項３に対応する発明は、請求項１・２に対応する作用に加え、表示手段に表示されるグラフ内の一の領域を指定し、指定された領域に対応する時刻におけるスケジュール情報をスケジュール情報記憶手段に書き込み、スケジュール情報記憶手段に記憶される時刻が時刻計測手段により計測される時刻と一致した場合、スケジュール情報を表示するので、ユーザの発注作業をサポートすることができる。
【００２１】
請求項４に対応する発明は、請求項３に対応する作用に加え、スケジュール情報記憶手段が、外部の発注システムの発注画面のフォーマットに対応した発注情報をスケジュール情報として記憶するので、外部の発注システムとの連動により、簡易的な予約発注を実現することができる。
【００２２】
請求項５に対応する発明は、請求項１〜４のいずれか１項に対応する作用に加え、取引時間帯毎に、受付開始時刻、寄り時刻、取引開始時刻、引け時刻、取引終了時刻を含む複数の設定時刻を記憶し、時刻計測手段により計測される時刻と各設定時刻とが一致した場合、警告信号を出力するので、各設定時刻をユーザに認識させることができる。
【００２３】
請求項６に対応する発明は、請求項３〜５に対応する作用に加え、警告信号の出力に応じて、表示手段に表示される壁紙情報を変更するので、例えば複数のモニタを使用しているユーザに対しても設定時刻等を容易に認識させることができる。
【００２４】
請求項７に対応する発明は、請求項３〜６に対応する発明に加え、警告信号の出力に応じて、警告音を発生するので、例えばモニタから離れた位置にいるユーザに対しても設定時刻等を容易に認識させることができる。
【発明の効果】
【００２５】
本発明によれば、証券取引等において取引時間等の把握を容易にすることができる。
【発明を実施するための最良の形態】
【００２６】
以下、図面を参照して本発明の実施形態を説明する。
【００２７】
＜第１の実施形態＞
図１は本発明の第１の実施形態に係る取引時間表示装置１０の構成を示す模式図である。
【００２８】
取引時間表示装置１０は、演算装置２０と表示装置３０とを備えている。
【００２９】
演算装置２０は、記憶部２１・時刻計測部２２・入力部２３・演算部２４・出力部２５を備えている。
【００３０】
なお、演算装置２０は、ハードウェア構成とソフトウェア構成との組合せにより実現可能である。具体的には、予めコンピュータ読み取り可能な記憶媒体またはネットワークから得られた「取引時間表示プログラム」がコンピュータにインストールされることにより、演算装置２０としての各機能が実現される。
【００３１】
記憶部２１は、取引時間表示プログラムのデータを記憶するメモリであり、プログラム起動時の初期画面が記述された設定ファイル等を記憶している。また、記憶部２１は、「取引時間帯」と「時間帯名称」とを予め関連付けて記憶している。詳しくは図２に示すように、記憶部２１は、“前場（ＡＭ）”・“後場（ＰＭ）”・“夕場（ＥＶ）”の時間帯名称毎に、受付開始時刻・寄り時刻・取引開始時刻・引け時刻・取引終了時刻を含む複数の設定時刻を記憶している。ここで、取引時間帯は、受付開始時刻と取引終了時刻とから求められる。
【００３２】
時刻計測部２２は、時刻を計測するものである。
【００３３】
入力部２３は、一般的なキーボード・マウス等により構成され、表示装置３０の画面に表示される複数の時間帯名称のうち、一の時間帯名称を選択する機能を有している。
【００３４】
演算部２４は、演算処理を行なうものであり、入力部２３により時間帯名称が選択された場合、該時間帯名称に対応する取引時間帯を記憶部２１から読み込み、該取引時間帯における時刻計測部２２が計測する時刻までの経過時間と残存時間とを算出する機能を有している。また、演算部２４は、経過時間と残存時間とを算出した場合、それらの経過時間と残存時間とが色分けされた円グラフを含む画像データＧを生成する。
【００３５】
具体的には、演算部２４は、図３に示すような、円グラフＲとボタンＢ１〜Ｂ５とが表示された画像データＧを生成する。円グラフＲは、経過時間Ｒ１と残存時間Ｒ２とが色分けされて表示される。また、円グラフＲの中心の文字盤Ｍには現在時刻または残存時間が表示され、例えば文字盤Ｍをクリックすることで表示が切り替わる。一方、ボタンＢ１〜Ｂ５は、円グラフＲの右側に表示される。これらのボタンＢ１〜Ｂ５が入力部２３の操作により指定されると、表示が切り替わることになる。例えば、ボタンＢ３が指定されると、“前場”の取引時間帯に応じた円グラフＲが表示されることになる。なお、ボタンＢ１は、通常の時計を表示するものである。この場合、円グラフは色分け表示されない。ボタンＢ２は、１日のスケジュール表示、編集が行なう画面を表示するものである。ボタンＢ３は、“前場”の時間を表示するものである。前場の取引時間全体を1回りで表示する。ボタンＢ４は、“後場”の時間を表示するものである。後場の取引時間全体を1回りで表示する。ボタンＢ５は、“夕場”の時間を表示するものである。夕場の取引時間全体を1回りで表示する。
【００３６】
出力部２５は、演算装置２０により制御される情報を外部の装置に出力するものである。ここでは、出力部２５は、演算部２４で生成された画像データＧを表示装置３０に出力する。
【００３７】
表示装置３０は、一般的なモニタにより構成され、出力部２５から出力された画像データＧを表示する。
【００３８】
次に、本実施形態に係る取引時間表示装置１０の動作を図４のフローチャートを用いて説明する。
【００３９】
始めに、取引時間表示プログラムのアプリケーションが起動されると、初期画面などが記述された設定ファイルが記憶部２１から読み出される（ステップＳ１）。
【００４０】
ここでは、初期画面として時刻表示画面が設定されており、例えば図５（Ａ）に示すように、時刻計測部２２が計測する時刻が表示装置３０に表示される（ステップＳ２）。
【００４１】
次に、ユーザの操作により、入力部２３を介して表示装置３０の画面上で、前場（ＡＭ）・後場（ＰＭ）・夕場（ＥＶ）の時間帯名称のうち一の時間帯名称が選択される。これにより、選択された時間帯名称に対応する取引時間帯の情報が記憶部２１から読み出される（ステップＳ３−ＹＥＳ，Ｓ４）。具体的には、ボタンＢ３がカーソルにより指定された場合には、“前場”の取引時間帯が記憶部２１から読み出される。
【００４２】
続いて、記憶部２１から読み出された取引時間帯における時刻計測部２２が計測する時刻までの経過時間と残存時間とが演算部２４により算出される（ステップＳ５）。それから、演算部２４により、経過時間と残存時間とが色分けされた円グラフを含む画像データＧが生成される。
【００４３】
この後、表示装置３０が出力部２５から画像データＧを受け取り、図５（Ｂ）に示すような円グラフを表示する（ステップＳ６）。
【００４４】
以上説明したように、本実施形態に係る取引時間表示装置１０は、入力部２３により時間帯名称が選択された場合、該時間帯名称に対応する取引時間帯を記憶部２１から読み込み、その取引時間帯における時刻計測部２２が計測する時刻までの経過時間と残存時間とを算出し、経過時間と残存時間とが色分けされたグラフを表示するので、残りの取引時間をユーザに視覚的に認識させることができる。それゆえ、証券取引等において取引時間等の把握を容易にし、ユーザの発注作業をサポートすることができる。
【００４５】
なお、本実施形態においては、経過時間と残存時間とが色分けされて円グラフで表示されているが、これに限るものではない。すなわち、経過時間と残存時間とが区別して表示されるものであれば、棒グラフなどであってもよい。
【００４６】
＜第２の実施形態＞
図６は本発明の第２の実施形態に係る取引時間表示装置１０Ｔの構成を示す模式図である。なお、既に説明した部分と同一部分には同一符号を付し、特に説明がない限りは重複した説明を省略する。
【００４７】
取引時間表示装置１０Ｔは、演算装置２０Ｔと表示装置３０と警告音発生装置４０とを備えている。
【００４８】
演算装置２０Ｔは、第1の実施形態に係る演算装置２０が、スケジュール情報記憶部２６・スケジュール情報書込部２７をさらに備えている。また、入力部２３Ｔ・出力部２５Ｔは、入力部２３・出力部２５がそれぞれ以下の機能をさらに備えている。
【００４９】
入力部２３Ｔは、表示装置３０に表示される円グラフ内の一の領域を指定する機能を有している。
【００５０】
出力部２５Ｔは、後述するスケジュール情報記憶部２６に記憶される時刻が時刻計測部２２により計測される時刻と一致した場合、「警告信号」を出力する機能を有している。そして、出力部２５Ｔは、警告信号の出力に応じて、スケジュール情報記憶部２６に記憶される時刻に対応するスケジュール情報を表示装置３０に出力する。また、出力部２５Ｔは、警告信号を警告音発生装置４０に出力する。さらに、出力部２５Ｔは、警告信号が出力された場合、図７に示すように、表示装置３０の画面の壁紙情報を変更する機能を有している。
【００５１】
スケジュール情報記憶部２６は、「予定時刻」と「スケジュール情報」とを関連付けて記憶するメモリである。ここで、スケジュール情報には、図８に示すように、取引所・銘柄コード・売買区分・価格・数量・執行条件・自己委任区分を有する発注情報が含まれる。この場合、スケジュール情報記憶部２６は、図９に示すような外部の発注システムの発注画面Pのフォーマットと対応させて、発注情報を予定時刻と関連付けて記憶する。そして、予定時刻を経過した場合、出力部２５Ｔが、発注情報の内容で発注するか否かを促す画面を表示装置３０に出力する。なお、図９において、“Ｅｖ”のチェックボックスＣは、取引時間帯が夕場のときにのみチェック可能なものである。取引が夕場のものであるか否かは０また１のフラグで表わされ、チェックされた場合はフラグが１となり、夕場の発注情報が記憶されることになる。なお、スケジュール情報は、発注情報以外の単なるメモ情報であってもよい。
【００５２】
スケジュール情報書込部２７は、円グラフＲ内の一の領域が入力部２３Ｔを介して指定された場合、該指定された領域に対応する時刻におけるスケジュール情報を、スケジュール情報記憶部２６に書き込むものである。具体的には、円グラフＲ内の一の領域が指定されると、図９に示すような発注画面Pが立ち上がる。そして、銘柄コード・数量・価格などの欄に数値が入力されると、それらの値がスケジュール情報として書き込まれる。なお、ボタンＢ２の選択により、発注情報を含まない単なるメモ情報の書き込みも可能である。
【００５３】
また、スケジュール情報が書き込まれた場合には、図１０に示すように、円グラフＲ内に星印Ｓ１・Ｓ２が表示される。ここで、スケジュール情報が発注情報である場合は５つ星印Ｓ１が表示され、注文内容を含まない単なるメモ情報の場合は４つ星印Ｓ２が表示される。
【００５４】
警告音発生装置４０は、一般的なスピーカで構成され、出力部２５Ｔから警告信号を受け取ると警告音を発生するものである。
【００５５】
次に、本実施形態に係る取引時間表示装置１０Ｔの動作を図１１のフローチャートを用いて説明する。
【００５６】
ステップＳ１からステップＳ６までは第１の実施形態に係る取引時間表示装置１０と同様の動作をするので、ステップＳ７以降の手順を以下に説明する。
【００５７】
表示装置３０に表示された円グラフＲ内の一領域が入力部２３Ｔによりクリックされると、その指定された領域に対応する時刻におけるスケジュール情報がスケジュール情報記憶部２６に書き込まれる（ステップＳ７−Ｙｅｓ，Ｓ８）。
【００５８】
例えば、図１２に示すように、円グラフＲ内の一領域をカーソルが指定すると、その指定された領域に対応する時刻が表示される。カーソルの移動に応じて取引を実行しようとする時刻が指定されると、発注情報の入力画面が表示される。そして、入力部２３Ｔを介して銘柄コード・価格・数量を含む発注情報が予定時刻と関連付けられて書き込まれる。
【００５９】
この後、ステップＳ７において書き込まれた予定時刻が経過すると、出力部２６Ｔから警告信号が出力される（ステップＳ９−Ｙｅｓ）。そして、表示装置３０の壁紙情報が変更されたり、警告音が出力されたりして、ユーザに注意が喚起される（ステップＳ１０）。また、外部の証券発注システム等と連動し、発注情報が書き込まれた発注画面Ｐが警告信号の出力時に立ち上がるようにしてもよい。これにより、ユーザに発注が促される。
【００６０】
そして、スケジュール情報記憶部２６に記憶されている発注情報のとおりに発注処理が行なわれた場合、スケジュール情報が削除される（ステップＳ１１−Ｙｅｓ，Ｓ１２）。
【００６１】
以上説明したように、本実施形態に係る取引時間表示装置１０Ｔによれば、表示装置３０に表示される円グラフＲ内の一の領域を指定し、指定された領域に対応する時刻におけるスケジュール情報をスケジュール情報記憶部２６に書き込み、スケジュール情報記憶部２６に記憶される時刻が時刻計測部２２により計測される時刻と一致した場合、スケジュール情報を表示する。それゆえ、取引に関するスケジュール管理が適切に行なわれるので、ユーザの発注作業をサポートすることができる。また、簡易的なスケジューラとしてユーザの予定管理をサポートすることもできる。
【００６２】
なお、本実施形態では円グラフＲ内の一の領域の指定によりスケジュールを書き込んでいるが、予定時間を直接指定してスケジュールを書き込んでも良い。具体的には、ボタンＢ２が選択されると１日のスケジュール表が表示され、このスケジュール表を編集することによりスケジュールを登録できる。
【００６３】
また、本実施形態に係る取引時間表示装置１０Ｔは、スケジュール情報記憶部２６が、外部の発注システムの発注画面Ｐのフォーマットと対応させて、銘柄コード、数量、価格を含む発注情報で発注予定であることをスケジュール情報として記憶するので、外部の発注システムとの連動により、簡易的な予約発注を実現することができる。
【００６４】
また、本実施形態に係る取引時間表示装置１０は、取引時間帯毎に、受付開始時刻、寄り時刻、取引開始時刻、引け時刻、取引終了時刻を含む複数の設定時刻を記憶し、時刻計測部２２により計測される時刻と各設定時刻とが一致した場合、警告信号を出力するので、各設定時刻をユーザに認識させることができる。なお、上述の各設定時刻に基づいて、円グラフＲの色を変更してもよい。例えば、図１３に示すように、引け時刻から取引終了時刻までの時間帯Ｒ３を経過時間や残存時間とは別の色で表示する。一般的に、証券取引等においては、引けの時間帯に取引量が集中する。そのため、引けの時間帯をユーザに認識させることで、証券取引等におけるユーザの発注処理をサポートすることができる。なお、寄りの時間帯Ｒ４についても同様である。
【００６５】
また、本実施形態に係る表示装置３０は、警告信号の出力に応じて壁紙情報を変更するので、例えば複数のモニタを使用しているユーザに対しても設定時刻等を容易に認識させることができる。特に、複数のモニタを使用することが多いディーラ・トレーダ等に対して視覚的に設定時刻を通知することができ、発注作業をサポートできるという効果がある。
【００６６】
さらに、本実施形態に係る警告音発生装置４０は、警告信号の出力に応じて警告音を発生するので、例えばモニタから離れた位置にいるユーザに対しても設定時刻等を容易に認識させることができる。
【００６７】
要するに、本実施形態に係る取引時間表示装置１０Ｔは、取引時間をユーザに意識させることができる。また、スケジューラ機能を実装することにより、より時間に対する意識を強くさせ、かつ予定遂行をサポートすることができる。さらに、スケジュールに注文内容を含め、外部の証券発注システムにデータを渡すことで簡易的な予約発注を補助することができる。
【００６８】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【００６９】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００７０】
また、この記憶媒体としては、プログラムを記憶でき、かつコンピュータが読み取り可能な記憶媒体であれば、その記憶形式は何れの形態であっても良い。
【００７１】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。
【００７２】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００７３】
また、記憶媒体は１つに限らず、複数の媒体から上記実施形態における処理が実行される場合も本発明における記憶媒体に含まれ、媒体構成は何れの構成であっても良い。
【００７４】
尚、本発明におけるコンピュータは、記憶媒体に記憶されたプログラムに基づき、上記実施形態における各処理を実行するものであって、パソコン等の１つからなる装置、複数の装置がネットワーク接続されたシステム等の何れの構成であっても良い。
【００７５】
また、本発明におけるコンピュータとは、パソコンに限らず、情報処理機器に含まれる演算処理装置、マイコン等も含み、プログラムによって本発明の機能を実現することが可能な機器、装置を総称している。
【図面の簡単な説明】
【００７６】
【図１】本発明の第１の実施形態に係る取引時間表示装置１０の構成を示す模式図である。
【図２】同実施形態に係る記憶部２１の構成を示す模式図である。
【図３】同実施形態に係る表示装置３０に表示される画像の構成を示す模式図である。
【図４】同実施形態に係る取引時間表示装置１０の動作を説明するためのフローチャートである。
【図５】同実施形態に係る表示装置３０に表示される画像の変化を示す模式図である。
【図６】本発明の第２の実施形態に係る取引時間表示装置１０Ｔの構成を示す模式図である。
【図７】同実施形態に係る表示装置３０の壁紙画像の変化を示す模式図である。
【図８】同実施形態に係るスケジュール情報の一例を示す模式図である。
【図９】外部の発注システムの発注画面の構成を示す模式図である。
【図１０】同実施形態に係る表示装置３０に表示される画像の構成を示す模式図である。
【図１１】同実施形態に係る取引時間表示装置１０Ｔの動作を説明するためのフローチャートである。
【図１２】同実施形態に係る表示装置３０に表示される画像の変化を示す模式図である。
【図１３】同実施形態に係る表示装置３０に表示される画像の構成を示す模式図である。
【符号の説明】
【００７７】
１０・・・取引時間表示装置、２０・・・演算装置、２１・・・記憶部、２２・・・時刻計測部、２３・・・入力部、２４・・・演算部、２５・・・出力部、２６・・・スケジュール情報記憶部、２７・・・スケジュール情報書込部、３０・・・表示装置、４０・・・警告音発生装置。
【図１】
2009043159.tif 000003
【図２】
2009043159.tif 000004
【図３】
2009043159.tif 000005
【図４】
2009043159.tif 000006
【図５】
2009043159.tif 000007
【図６】
2009043159.tif 000008
【図７】
2009043159.tif 000009
【図８】
2009043159.tif 000010
【図９】
2009043159.tif 000011
【図１０】
2009043159.tif 000012
【図１１】
2009043159.tif 000013
【図１２】
2009043159.tif 000014
【図１３】
2009043159.tif 000015